(57)【要約】【課題】無線ＩＣタグを所持した親子の相対的状況に基づき迷子状態を検出する。【解決手段】管理サーバ３０はＩＣタグリーダ２０のリーダＩＤと設置場所、親子のタグＩＤを予め登録しておき、ＩＣタグリーダ２０は無線ＩＣタグ１０からタグＩＤを読み取りリーダＩＤと時刻情報を付して管理サーバ３０に送信し、管理サーバ３０は受信した情報を記録し、親子のいずれか一方のタグＩＤが記録された場合に、所定時間差以内で他方のタグＩＤが同じＩＣタグリーダ２０で読み取られたかを判別し、読み取られなかった場合に子供のタグＩＤが最後に読み取られたＩＣタグリーダ２０をアラーム通知対象として抽出し、抽出したＩＣタグリーダ２０にアラーム通知を送信するとともに、抽出したＩＣタグリーダ２０の設置場所情報を付加したアラーム通知を保護者携帯端末４０に送信し、アラーム通知を受信したＩＣタグリーダ２０は迷子発生のアナウンスを行う。【選択図】      図１
2007033310.tif 000002
【特許請求の範囲】
【請求項１】
タグＩＤが書き込まれた無線ＩＣタグと、所定の場所に設置された複数のＩＣタグリーダと、管理サーバとを備えた迷子通知システムであって、
前記ＩＣタグリーダは、通信範囲内に存在する無線ＩＣタグからタグＩＤを読み取り、リーダＩＤと時刻情報を付して前記管理サーバに送信する手段を有し、
前記管理サーバは、親子のタグＩＤを対応付けて登録する手段と、前記ＩＣタグリーダから受信したリーダＩＤ，時刻情報，タグＩＤを対応付けて記録する手段と、親子のいずれか一方のタグＩＤが記録された場合に、所定時間差以内で他方のタグＩＤが同じＩＣタグリーダで読み取られたかを判別する手段と、所定時間差以内で読み取られなかった場合にアラーム情報を出力する手段とを有することを特徴とする迷子通知システム。
【請求項２】
タグＩＤが書き込まれた無線ＩＣタグと、所定の場所に設置された複数のＩＣタグリーダと、管理サーバと、親が所持する携帯端末とを備えた迷子通知システムであって、
前記ＩＣタグリーダは、通信範囲内に存在する無線ＩＣタグからタグＩＤを読み取り、リーダＩＤと時刻情報を付して前記管理サーバに送信する手段と、前記管理サーバからアラーム通知を受信した場合に迷子発生のアナウンスを行う手段とを有し、
前記管理サーバは、前記ＩＣタグリーダのリーダＩＤ，設置場所を対応付けて登録する手段と、親子のタグＩＤを対応付けて登録する手段と、前記ＩＣタグリーダから受信したリーダＩＤ，時刻情報，タグＩＤを対応付けて記録する手段と、親子のいずれか一方のタグＩＤが記録された場合に、所定時間差以内で他方のタグＩＤが同じＩＣタグリーダで読み取られたかを判別する手段と、所定時間差以内で読み取られなかった場合にアラーム通知対象のＩＣタグリーダを抽出する手段と、抽出したＩＣタグリーダにアラーム通知を送信するとともに、抽出したＩＣタグリーダの設置場所情報を付加したアラーム通知を前記携帯端末に送信する手段とを有し、
前記携帯端末は、前記管理サーバから送信された情報を受信，表示する手段を有することを特徴とする迷子通知システム。
【請求項３】
前記管理サーバは、所定時間差以内で他方のタグＩＤが同じＩＣタグリーダで読み取られなかった場合に、子供のタグＩＤが最後に読み取られたＩＣタグリーダをアラーム通知対象のＩＣタグリーダとして抽出することを特徴とする請求項２記載の迷子通知システム。
【請求項４】
前記管理サーバは、各ＩＣタグリーダ毎にそのＩＣタグリーダから距離が近い順に少なくとも一つ以上のＩＣタグリーダを近隣ＩＣタグリーダとして登録しておき、所定時間差以内で他方のタグＩＤが同じＩＣタグリーダで読み取られなかった場合に、子供のタグＩＤが最後に読み取られたＩＣタグリーダと前記近隣ＩＣタグリーダとをアラーム通知対象のＩＣタグリーダとして抽出することを特徴とする請求項２記載の迷子通知システム。
【請求項５】
タグＩＤが書き込まれた無線ＩＣタグと、所定の場所に設置された複数のＩＣタグリーダと、管理サーバとを備えた迷子通知システムであって、
前記ＩＣタグリーダは、同じ時刻に一斉に通信範囲内に存在する無線ＩＣタグからタグＩＤを読み取り、リーダＩＤと時刻情報を付して前記管理サーバに送信する手段を有し、
前記管理サーバは、前記ＩＣタグリーダのリーダＩＤ，設置場所，位置情報を対応付けて登録する手段と、親子のタグＩＤを対応付けて登録する手段と、前記ＩＣタグリーダから受信したリーダＩＤ，時刻情報，タグＩＤを対応付けて記録する手段と、親のタグＩＤが読み取られたＩＣタグリーダと子供のタグＩＤが読み取られたＩＣタグリーダとを特定し、特定したＩＣタグリーダ間の距離を算出する手段と、算出した距離が所定距離以上であった場合にアラーム情報を出力する手段とを有することを特徴とする迷子通知システム。
【請求項６】
タグＩＤが書き込まれた無線ＩＣタグと、所定の場所に設置された複数のＩＣタグリーダと、管理サーバと、親が所持する携帯端末とを備えた迷子通知システムであって、
前記ＩＣタグリーダは、通信範囲内に存在する無線ＩＣタグからタグＩＤを読み取り、リーダＩＤと時刻情報を付して前記管理サーバに送信する手段と、前記管理サーバからアラーム通知を受信した場合に迷子発生のアナウンスを行う手段とを有し、
前記管理サーバは、前記ＩＣタグリーダのリーダＩＤ，設置場所，位置情報を対応付けて登録する手段と、親子のタグＩＤを対応付けて登録する手段と、前記ＩＣタグリーダから受信したリーダＩＤ，時刻情報，タグＩＤを対応付けて記録する手段と、親のタグＩＤが読み取られたＩＣタグリーダと子供のタグＩＤが読み取られたＩＣタグリーダとを特定し、特定したＩＣタグリーダ間の距離を算出する手段と、算出した距離が所定距離以上であった場合にアラーム通知対象のＩＣタグリーダを抽出する手段と、抽出したＩＣタグリーダにアラーム通知を送信するとともに、抽出したＩＣタグリーダの設置場所情報を付加したアラーム通知を前記携帯端末に送信する手段とを有し、
前記携帯端末は、前記管理サーバから送信された情報を受信，表示する手段を有することを特徴とする迷子通知システム。
【請求項７】
前記管理サーバは、算出したＩＣタグリーダ間の距離が所定距離以上であった場合に、子供のタグＩＤが読み取られたＩＣタグリーダをアラーム通知対象のＩＣタグリーダとして抽出することを特徴とする請求項６記載の迷子通知システム。
【請求項８】
前記管理サーバは、各ＩＣタグリーダ毎にそのＩＣタグリーダから距離が近い順に少なくとも一つ以上のＩＣタグリーダを近隣ＩＣタグリーダとして登録しておき、算出したＩＣタグリーダ間の距離が所定距離以上であった場合に、子供のタグＩＤが読み取られたＩＣタグリーダと前記近隣ＩＣタグリーダとをアラーム通知対象のＩＣタグリーダとして抽出することを特徴とする請求項６記載の迷子通知システム。
【請求項９】
前記管理サーバは、アラーム通知の送信履歴を記録する手段と、アラーム通知送信時に前回のアラーム通知から所定時間以上経過しているかを確認し、経過していた場合に送信し経過していなかった場合に送信しないよう制御する手段とを、さらに有することを特徴とする請求項２〜４または６〜８のいずれか１項記載の迷子通知システム。
【請求項１０】
ネットワークを介してＩＣタグリーダ，携帯端末に接続される管理サーバであって、
前記ＩＣタグリーダのリーダＩＤ，設置場所を対応付けて登録する手段と、親子のタグＩＤを対応付けて登録する手段と、前記ＩＣタグリーダから受信したリーダＩＤ，時刻情報，タグＩＤを対応付けて記録する手段と、親子のいずれか一方のタグＩＤが記録された場合に、所定時間差以内で他方のタグＩＤが同じＩＣタグリーダで読み取られたかを判別する手段と、所定時間差以内で読み取られなかった場合に、子供のタグＩＤが読み取られたＩＣタグリーダをアラーム通知対象のＩＣタグリーダとして抽出する手段と、抽出したＩＣタグリーダにアラーム通知を送信するとともに、抽出したＩＣタグリーダの設置場所情報を付加したアラーム通知を前記携帯端末に送信する手段とを有することを特徴とする管理サーバ。
【請求項１１】
ネットワークを介してＩＣタグリーダ，携帯端末に接続される管理サーバであって、
前記ＩＣタグリーダのリーダＩＤ，設置場所，位置情報を対応付けて登録する手段と、親子のタグＩＤを対応付けて登録する手段と、前記ＩＣタグリーダから受信したリーダＩＤ，時刻情報，タグＩＤを対応付けて記録する手段と、親のタグＩＤが読み取られたＩＣタグリーダと子供のタグＩＤが読み取られたＩＣタグリーダとを特定し、特定したＩＣタグリーダ間の距離を算出する手段と、算出した距離が所定距離以上であった場合に、子供のタグＩＤが読み取られたＩＣタグリーダをアラーム通知対象のＩＣタグリーダとして抽出する手段と、抽出したＩＣタグリーダにアラーム通知を送信するとともに、抽出したＩＣタグリーダの設置場所情報を付加したアラーム通知を前記携帯端末に送信する手段とを有することを特徴とする管理サーバ。
【請求項１２】
アラーム通知の送信履歴を記録する手段と、アラーム通知送信時に前回のアラーム通知から所定時間以上経過しているかを確認し、経過していた場合に送信し経過していなかった場合に送信しないよう制御する手段とを、さらに有することを特徴とする請求項１０または１１記載の管理サーバ。
【請求項１３】
所定の場所に設置された複数のＩＣタグリーダと、管理サーバと、親が所持する携帯端末とを用いた迷子通知方法であって、
前記管理サーバは、前記ＩＣタグリーダのリーダＩＤと設置場所、対応付けられた親子のタグＩＤ、を予め登録しておき、前記ＩＣタグリーダは通信範囲内に存在する無線ＩＣタグからタグＩＤを読み取り、リーダＩＤと時刻情報を付して前記管理サーバに送信し、前記管理サーバは受信したリーダＩＤ，時刻情報，タグＩＤを対応付けて記録し、親子のいずれか一方のタグＩＤが記録された場合に、前記管理サーバは所定時間差以内で他方のタグＩＤが同じＩＣタグリーダで読み取られたかを判別し、所定時間差以内で読み取られなかった場合に、子供のタグＩＤが最後に読み取られたＩＣタグリーダをアラーム通知対象のＩＣタグリーダとして抽出し、抽出したＩＣタグリーダにアラーム通知を送信するとともに、抽出したＩＣタグリーダの設置場所情報を付加したアラーム通知を前記携帯端末に送信し、アラーム通知を受信したＩＣタグリーダは迷子発生のアナウンスを行うことを特徴とする迷子通知方法。
【請求項１４】
所定の場所に設置された複数のＩＣタグリーダと、管理サーバと、親が所持する携帯端末とを用いた迷子通知方法であって、
前記管理サーバは、前記ＩＣタグリーダのリーダＩＤと設置場所と位置情報、対応付けられた親子のタグＩＤ、を予め登録しておき、前記ＩＣタグリーダは、通信範囲内に存在する無線ＩＣタグからタグＩＤを読み取り、リーダＩＤと時刻情報を付して前記管理サーバに送信し、前記管理サーバは受信したリーダＩＤ，時刻情報，タグＩＤを対応付けて記録し、親のタグＩＤが読み取られたＩＣタグリーダと子供のタグＩＤが読み取られたＩＣタグリーダとを特定し、特定したＩＣタグリーダ間の距離を算出し、算出した距離が所定距離以上であった場合に、子供のタグＩＤが最後に読み取られたＩＣタグリーダをアラーム通知対象のＩＣタグリーダとして抽出し、抽出したＩＣタグリーダにアラーム通知を送信するとともに、抽出したＩＣタグリーダの設置場所情報を付加したアラーム通知を前記携帯端末に送信し、アラーム通知を受信したＩＣタグリーダは迷子発生のアナウンスを行うことを特徴とする迷子通知方法。
【請求項１５】
ＩＣタグリーダのリーダＩＤ，設置場所を対応付けて登録する機能、親子のタグＩＤを対応付けて登録する機能、前記ＩＣタグリーダから受信したリーダＩＤ，時刻情報，タグＩＤを対応付けて記録する機能、親子のいずれか一方のタグＩＤが記録された場合に、所定時間差以内で他方のタグＩＤが同じＩＣタグリーダで読み取られたかを判別する機能、所定時間差以内で読み取られなかった場合に、子供のタグＩＤが読み取られたＩＣタグリーダをアラーム通知対象のＩＣタグリーダとして抽出する機能、抽出したＩＣタグリーダにアラーム通知を送信するとともに、抽出したＩＣタグリーダの設置場所情報を付加したアラーム通知を外部装置に送信する機能、をコンピュータに実現させるためのプログラム。
【請求項１６】
ＩＣタグリーダのリーダＩＤ，設置場所，位置情報を対応付けて登録する機能、親子のタグＩＤを対応付けて登録する機能、前記ＩＣタグリーダから受信したリーダＩＤ，時刻情報，タグＩＤを対応付けて記録する機能、親のタグＩＤが読み取られたＩＣタグリーダと子供のタグＩＤが読み取られたＩＣタグリーダとを特定し、特定したＩＣタグリーダ間の距離を算出する機能、算出した距離が所定距離以上であった場合に、子供のタグＩＤが読み取られたＩＣタグリーダをアラーム通知対象のＩＣタグリーダとして抽出する機能、抽出したＩＣタグリーダにアラーム通知を送信するとともに、抽出したＩＣタグリーダの設置場所情報を付加したアラーム通知を外部装置に送信する機能、をコンピュータに実現させるためのプログラム。
【発明の詳細な説明】
【技術分野】
【０００１】
本発明は、迷子通知システム，方法，管理サーバおよびプログラムに関し、特に無線ＩＣタグを用いた迷子通知システム，方法，管理サーバおよびプログラムに関する。
【背景技術】
【０００２】
従来、無線ＩＤタグを子供に持たせ、所定の場所に複数設置されたＩＤリーダがタグＩＤを読み取ってリーダＩＤとともにセンター装置に送信，格納することにより、保護者が子供の居場所等を把握することが行われている（例えば、特許文献１参照）。
【０００３】
【特許文献１】特開２００４−３１２２８９号公報（段落「００４５」〜「００４８」）
【発明の開示】
【発明が解決しようとする課題】
【０００４】
しかし、上述した特許文献１においては、無線ＩＤタグを用いた子供の居場所探索は行っているものの、親子が一緒に出かけた場合の迷子状況の把握や通知に関しては記載されていない。すなわち、親子間の相対的な状況を無線ＩＤタグを用いて分析，通知するような仕組みは考慮されていない。
【０００５】
本発明の目的は、以上の問題を解決する迷子通知システム，方法，管理サーバおよびプログラムを提供することにある。
【課題を解決するための手段】
【０００６】
本発明の第１の迷子通知システムは、タグＩＤが書き込まれた無線ＩＣタグと、所定の場所に設置された複数のＩＣタグリーダと、管理サーバとを備えた迷子通知システムであって、
前記ＩＣタグリーダは、通信範囲内に存在する無線ＩＣタグからタグＩＤを読み取り、リーダＩＤと時刻情報を付して前記管理サーバに送信する手段を有し、
前記管理サーバは、親子のタグＩＤを対応付けて登録する手段と、前記ＩＣタグリーダから受信したリーダＩＤ，時刻情報，タグＩＤを対応付けて記録する手段と、親子のいずれか一方のタグＩＤが記録された場合に、所定時間差以内で他方のタグＩＤが同じＩＣタグリーダで読み取られたかを判別する手段と、所定時間差以内で読み取られなかった場合にアラーム情報を出力する手段とを有する。
【０００７】
本発明の第２の迷子通知システムは、タグＩＤが書き込まれた無線ＩＣタグと、所定の場所に設置された複数のＩＣタグリーダと、管理サーバと、親が所持する携帯端末とを備えた迷子通知システムであって、
前記ＩＣタグリーダは、通信範囲内に存在する無線ＩＣタグからタグＩＤを読み取り、リーダＩＤと時刻情報を付して前記管理サーバに送信する手段と、前記管理サーバからアラーム通知を受信した場合に迷子発生のアナウンスを行う手段とを有し、
前記管理サーバは、前記ＩＣタグリーダのリーダＩＤ，設置場所を対応付けて登録する手段と、親子のタグＩＤを対応付けて登録する手段と、前記ＩＣタグリーダから受信したリーダＩＤ，時刻情報，タグＩＤを対応付けて記録する手段と、親子のいずれか一方のタグＩＤが記録された場合に、所定時間差以内で他方のタグＩＤが同じＩＣタグリーダで読み取られたかを判別する手段と、所定時間差以内で読み取られなかった場合にアラーム通知対象のＩＣタグリーダを抽出する手段と、抽出したＩＣタグリーダにアラーム通知を送信するとともに、抽出したＩＣタグリーダの設置場所情報を付加したアラーム通知を前記携帯端末に送信する手段とを有し、
前記携帯端末は、前記管理サーバから送信された情報を受信，表示する手段を有する。
【０００８】
本発明の第３の迷子通知システムは、本発明の第２の迷子通知システムにおいて、前記管理サーバは、所定時間差以内で他方のタグＩＤが同じＩＣタグリーダで読み取られなかった場合に、子供のタグＩＤが最後に読み取られたＩＣタグリーダをアラーム通知対象のＩＣタグリーダとして抽出することを特徴とする。
【０００９】
本発明の第４の迷子通知システムは、本発明の第２の迷子通知システムにおいて、前記管理サーバは、各ＩＣタグリーダ毎にそのＩＣタグリーダから距離が近い順に少なくとも一つ以上のＩＣタグリーダを近隣ＩＣタグリーダとして登録しておき、所定時間差以内で他方のタグＩＤが同じＩＣタグリーダで読み取られなかった場合に、子供のタグＩＤが最後に読み取られたＩＣタグリーダと前記近隣ＩＣタグリーダとをアラーム通知対象のＩＣタグリーダとして抽出することを特徴とする。
【００１０】
本発明の第５の迷子通知システムは、タグＩＤが書き込まれた無線ＩＣタグと、所定の場所に設置された複数のＩＣタグリーダと、管理サーバとを備えた迷子通知システムであって、
前記ＩＣタグリーダは、同じ時刻に一斉に通信範囲内に存在する無線ＩＣタグからタグＩＤを読み取り、リーダＩＤと時刻情報を付して前記管理サーバに送信する手段を有し、
前記管理サーバは、前記ＩＣタグリーダのリーダＩＤ，設置場所，位置情報を対応付けて登録する手段と、親子のタグＩＤを対応付けて登録する手段と、前記ＩＣタグリーダから受信したリーダＩＤ，時刻情報，タグＩＤを対応付けて記録する手段と、親のタグＩＤが読み取られたＩＣタグリーダと子供のタグＩＤが読み取られたＩＣタグリーダとを特定し、特定したＩＣタグリーダ間の距離を算出する手段と、算出した距離が所定距離以上であった場合にアラーム情報を出力する手段とを有する。
【００１１】
本発明の第６の迷子通知システムは、タグＩＤが書き込まれた無線ＩＣタグと、所定の場所に設置された複数のＩＣタグリーダと、管理サーバと、親が所持する携帯端末とを備えた迷子通知システムであって、
前記ＩＣタグリーダは、通信範囲内に存在する無線ＩＣタグからタグＩＤを読み取り、リーダＩＤと時刻情報を付して前記管理サーバに送信する手段と、前記管理サーバからアラーム通知を受信した場合に迷子発生のアナウンスを行う手段とを有し、
前記管理サーバは、前記ＩＣタグリーダのリーダＩＤ，設置場所，位置情報を対応付けて登録する手段と、親子のタグＩＤを対応付けて登録する手段と、前記ＩＣタグリーダから受信したリーダＩＤ，時刻情報，タグＩＤを対応付けて記録する手段と、親のタグＩＤが読み取られたＩＣタグリーダと子供のタグＩＤが読み取られたＩＣタグリーダとを特定し、特定したＩＣタグリーダ間の距離を算出する手段と、算出した距離が所定距離以上であった場合にアラーム通知対象のＩＣタグリーダを抽出する手段と、抽出したＩＣタグリーダにアラーム通知を送信するとともに、抽出したＩＣタグリーダの設置場所情報を付加したアラーム通知を前記携帯端末に送信する手段とを有し、
前記携帯端末は、前記管理サーバから送信された情報を受信，表示する手段を有する。
【００１２】
本発明の第７の迷子通知システムは、本発明の第６の迷子通知システムにおいて、前記管理サーバは、算出したＩＣタグリーダ間の距離が所定距離以上であった場合に、子供のタグＩＤが読み取られたＩＣタグリーダをアラーム通知対象のＩＣタグリーダとして抽出することを特徴とする。
【００１３】
本発明の第８の迷子通知システムは、本発明の第６の迷子通知システムにおいて、前記管理サーバは、各ＩＣタグリーダ毎にそのＩＣタグリーダから距離が近い順に少なくとも一つ以上のＩＣタグリーダを近隣ＩＣタグリーダとして登録しておき、算出したＩＣタグリーダ間の距離が所定距離以上であった場合に、子供のタグＩＤが読み取られたＩＣタグリーダと前記近隣ＩＣタグリーダとをアラーム通知対象のＩＣタグリーダとして抽出することを特徴とする。
【００１４】
本発明の第９の迷子通知システムは、本発明の第２〜第４または第６〜８のいずれかの迷子通知システムにおいて、前記管理サーバは、アラーム通知の送信履歴を記録する手段と、アラーム通知送信時に前回のアラーム通知から所定時間以上経過しているかを確認し、経過していた場合に送信し経過していなかった場合に送信しないよう制御する手段とを、さらに有する。
【００１５】
本発明の第１の管理サーバは、ネットワークを介してＩＣタグリーダ，携帯端末に接続される管理サーバであって、
前記ＩＣタグリーダのリーダＩＤ，設置場所を対応付けて登録する手段と、親子のタグＩＤを対応付けて登録する手段と、前記ＩＣタグリーダから受信したリーダＩＤ，時刻情報，タグＩＤを対応付けて記録する手段と、親子のいずれか一方のタグＩＤが記録された場合に、所定時間差以内で他方のタグＩＤが同じＩＣタグリーダで読み取られたかを判別する手段と、所定時間差以内で読み取られなかった場合に、子供のタグＩＤが読み取られたＩＣタグリーダをアラーム通知対象のＩＣタグリーダとして抽出する手段と、抽出したＩＣタグリーダにアラーム通知を送信するとともに、抽出したＩＣタグリーダの設置場所情報を付加したアラーム通知を前記携帯端末に送信する手段とを有する。
【００１６】
本発明の第２の管理サーバは、ネットワークを介してＩＣタグリーダ，携帯端末に接続される管理サーバであって、
前記ＩＣタグリーダのリーダＩＤ，設置場所，位置情報を対応付けて登録する手段と、親子のタグＩＤを対応付けて登録する手段と、前記ＩＣタグリーダから受信したリーダＩＤ，時刻情報，タグＩＤを対応付けて記録する手段と、親のタグＩＤが読み取られたＩＣタグリーダと子供のタグＩＤが読み取られたＩＣタグリーダとを特定し、特定したＩＣタグリーダ間の距離を算出する手段と、算出した距離が所定距離以上であった場合に、子供のタグＩＤが読み取られたＩＣタグリーダをアラーム通知対象のＩＣタグリーダとして抽出する手段と、抽出したＩＣタグリーダにアラーム通知を送信するとともに、抽出したＩＣタグリーダの設置場所情報を付加したアラーム通知を前記携帯端末に送信する手段とを有する。
【００１７】
本発明の第３の管理サーバは、本発明の第１または第２の管理サーバにおいて、アラーム通知の送信履歴を記録する手段と、アラーム通知送信時に前回のアラーム通知から所定時間以上経過しているかを確認し、経過していた場合に送信し経過していなかった場合に送信しないよう制御する手段とを、さらに有する。
【００１８】
本発明の第１の迷子通知方法は、所定の場所に設置された複数のＩＣタグリーダと、管理サーバと、親が所持する携帯端末とを用いた迷子通知方法であって、
前記管理サーバは、前記ＩＣタグリーダのリーダＩＤと設置場所、対応付けられた親子のタグＩＤ、を予め登録しておき、前記ＩＣタグリーダは通信範囲内に存在する無線ＩＣタグからタグＩＤを読み取り、リーダＩＤと時刻情報を付して前記管理サーバに送信し、前記管理サーバは受信したリーダＩＤ，時刻情報，タグＩＤを対応付けて記録し、親子のいずれか一方のタグＩＤが記録された場合に、前記管理サーバは所定時間差以内で他方のタグＩＤが同じＩＣタグリーダで読み取られたかを判別し、所定時間差以内で読み取られなかった場合に、子供のタグＩＤが最後に読み取られたＩＣタグリーダをアラーム通知対象のＩＣタグリーダとして抽出し、抽出したＩＣタグリーダにアラーム通知を送信するとともに、抽出したＩＣタグリーダの設置場所情報を付加したアラーム通知を前記携帯端末に送信し、アラーム通知を受信したＩＣタグリーダは迷子発生のアナウンスを行うことを特徴とする。
【００１９】
本発明の第２の迷子通知方法は、所定の場所に設置された複数のＩＣタグリーダと、管理サーバと、親が所持する携帯端末とを用いた迷子通知方法であって、
前記管理サーバは、前記ＩＣタグリーダのリーダＩＤと設置場所と位置情報、対応付けられた親子のタグＩＤ、を予め登録しておき、前記ＩＣタグリーダは、通信範囲内に存在する無線ＩＣタグからタグＩＤを読み取り、リーダＩＤと時刻情報を付して前記管理サーバに送信し、前記管理サーバは受信したリーダＩＤ，時刻情報，タグＩＤを対応付けて記録し、親のタグＩＤが読み取られたＩＣタグリーダと子供のタグＩＤが読み取られたＩＣタグリーダとを特定し、特定したＩＣタグリーダ間の距離を算出し、算出した距離が所定距離以上であった場合に、子供のタグＩＤが最後に読み取られたＩＣタグリーダをアラーム通知対象のＩＣタグリーダとして抽出し、抽出したＩＣタグリーダにアラーム通知を送信するとともに、抽出したＩＣタグリーダの設置場所情報を付加したアラーム通知を前記携帯端末に送信し、アラーム通知を受信したＩＣタグリーダは迷子発生のアナウンスを行うことを特徴とする。
【００２０】
本発明の第１のプログラムは、ＩＣタグリーダのリーダＩＤ，設置場所を対応付けて登録する機能、親子のタグＩＤを対応付けて登録する機能、前記ＩＣタグリーダから受信したリーダＩＤ，時刻情報，タグＩＤを対応付けて記録する機能、親子のいずれか一方のタグＩＤが記録された場合に、所定時間差以内で他方のタグＩＤが同じＩＣタグリーダで読み取られたかを判別する機能、所定時間差以内で読み取られなかった場合に、子供のタグＩＤが読み取られたＩＣタグリーダをアラーム通知対象のＩＣタグリーダとして抽出する機能、抽出したＩＣタグリーダにアラーム通知を送信するとともに、抽出したＩＣタグリーダの設置場所情報を付加したアラーム通知を外部装置に送信する機能、をコンピュータに実現させる。
【００２１】
本発明の第２のプログラムは、ＩＣタグリーダのリーダＩＤ，設置場所，位置情報を対応付けて登録する機能、親子のタグＩＤを対応付けて登録する機能、前記ＩＣタグリーダから受信したリーダＩＤ，時刻情報，タグＩＤを対応付けて記録する機能、親のタグＩＤが読み取られたＩＣタグリーダと子供のタグＩＤが読み取られたＩＣタグリーダとを特定し、特定したＩＣタグリーダ間の距離を算出する機能、算出した距離が所定距離以上であった場合に、子供のタグＩＤが読み取られたＩＣタグリーダをアラーム通知対象のＩＣタグリーダとして抽出する機能、抽出したＩＣタグリーダにアラーム通知を送信するとともに、抽出したＩＣタグリーダの設置場所情報を付加したアラーム通知を外部装置に送信する機能、をコンピュータに実現させる。
【発明の効果】
【００２２】
本発明は、アミューズメントセンタ等において親子に無線ＩＣタグを所持させ、移動中の親子間の相対的な状況を無線ＩＣタグを用いて分析しているため、親子は無線ＩＣタグを所持しているだけで迷子状態となったときにすぐに検出されるという効果が得られる。
【発明を実施するための最良の形態】
【００２３】
本発明の実施の形態について図面を参照して詳細に説明する。
【００２４】
図１は、本発明の一実施の形態の構成を示す図であり、無線ＩＣタグ１０と、ＩＣタグリーダ２０と、管理サーバ３０と、保護者携帯端末４０とを備えている。ＩＣタグリーダ２０，管理サーバ３０間は、無線ＬＡＮ(Ｌocal Ａrea Ｎetwork），有線ＬＡＮ等のネットワーク１００で接続され、管理サーバ３０，保護者携帯端末４０間はインターネット２００で接続される。
【００２５】
無線ＩＣタグ１０は、ＲＦＩＤ（Radio Frequency Identification）タグであり、タグＩＤ（タグ識別情報）が予め書き込まれたメモリやアンテナ等を備えている。この無線ＩＣタグ１０は、アミューズメント施設やデパート等の利用者に対して貸与され、利用者は無線ＩＣタグ１０または無線ＩＣタグ１０付きのネックストラップ等を所持して移動する。
【００２６】
ＩＣタグリーダ２０は、アミューズメント施設やデパート等の通路や売り場等の所定の場所に設置された情報処理装置であり、リーダＩＤ（リーダ識別情報）を図示しないメモリに記憶している。このＩＣタグリーダ２０は、プログラムにより動作を制御され、
・通信範囲内に存在する無線ＩＣタグ１０から定期的にタグＩＤを読み取り、リーダＩＤを付して管理サーバ３０に送信する機能、
・管理サーバ３０からアラーム通知を受信した場合に迷子発生情報を周辺に報知する機能（例えば、記録媒体に記録された所定のアナウンス内容をスピーカ等を介して報知する機能）、を備えている。
【００２７】
管理サーバ３０は、ワークステーション・サーバ等の情報処理装置であり、制御部３１と、記憶部３２とを備えている。制御部３１は、例えば、ＣＰＵ（Central Processing Unit）等の制御装置であり、プログラムにより動作を制御される。この制御部３１は、
・ＩＣタグリーダ２０から受信したタグＩＤ，リーダＩＤ，時刻をＩＣタグ読取履歴データベース３２３に格納する機能、
・ＩＣタグ読取履歴データベース３２３を定期的に検索し、親と子供の両方の無線ＩＣタグ１０が同じＩＣタグリーダ２０で所定時間差以内に読み取られているかを確認する機能、
・所定時間差以内に読み取られていなかった場合に、現在に最も近い時刻で子供の無線ＩＣタグ１０が読み取られたＩＣタグリーダ２０を検索する機能、
・子供の無線ＩＣタグ１０が読み取られたＩＣタグリーダ２０にアラーム通知を送信する機能、
・子供の無線ＩＣタグ１０が読み取られたＩＣタグリーダ２０の設置場所を検索し、保護者携帯端末４０に通知する機能、
を備えている。
記憶部３２は、読み出し，書き込み可能な記憶装置であり、ユーザ情報データベース３２１と、ＩＣタグリーダデータベース３２２と、ＩＣタグ読取履歴データベース３２３と、アラーム通知履歴データベース３２４とを含んでいる。ユーザ情報データベース３２１には、図２（ユーザ情報データベース３２１に格納されるデータの一例を示す図）に示すように、親タグＩＤ，子タグＩＤ，メールアドレス（迷子発生時の通知先）が含まれている。これらの情報は無線ＩＣタグ１０貸与時に予め登録される。なお、親タグＩＤとは親（保護者）が所持する無線ＩＣタグ１０のタグＩＤであり、子タグＩＤとは子供（保護対象者）が所持する無線ＩＣタグ１０のタグＩＤである。また、子供が複数の場合は、その数だけ子タグＩＤが登録される。ＩＣタグリーダデータベース３２２には、図３（ＩＣタグリーダデータベース３２２に格納されるデータの一例を示す図）に示すように、リーダＩＤ，ＩＣタグリーダ２０の設置場所，位置情報（緯度，経度等），ＬＡＮアドレスが含まれている。ＩＣタグ読取履歴データベース３２３には、図４（ＩＣタグ読取履歴データベース３２３に格納されるデータの一例を示す図）に示すように、リーダＩＤ，時刻（読み取り時刻），読み取られた親，子供のタグＩＤが含まれる。アラーム通知履歴データベース３２４には、図５（アラーム通知履歴データベース３２４に格納されるデータの一例を示す図）に示すように、親タグＩＤ，子タグＩＤ，通知時刻が含まれる。
【００２８】
保護者携帯端末４０は、本発明の迷子通知を利用する親（保護者）が携帯する携帯電話機，ＰＨＳ（Personal Handyphone System），ＰＤＡ（Personal Digital Assistance）等の携帯情報端末である。この保護者携帯端末４０はメール受信機能を備えている。
【００２９】
次に、本発明の一実施の形態の動作について、図１〜図６を参照して説明する。図６は、本発明の一実施の形態の動作を示すフローチャートである。
【００３０】
まず、アミューズメント施設やデパートを訪れた親子連れが迷子通知サービスを希望する場合は係員に申し出る。係員は無線ＩＣタグ１０を親と子供に渡し、図示しない端末から管理サーバ３０のユーザ情報データベース３２１に親タグＩＤ（例えば、１２３４Ａ），子タグＩＤ（例えば、１２３４Ｂ），メールアドレスを対応付けて登録する（図２参照）。
【００３１】
図６を参照すると、親子は常に無線ＩＣタグ１０を所持した状態で施設内を移動し、施設内の所定場所に設置された各ＩＣタグリーダ２０は、所定間隔（例えば、５秒毎）で通信範囲内に存在する無線ＩＣタグ１０からタグＩＤを読み取る（ステップＡ１）。そして、タグＩＤを読み取ったＩＣタグリーダ２０は、図示しないメモリから読み取ったリーダＩＤと図示しない時計部から取得した時刻情報を、タグＩＤとともに管理サーバ３０に送信する（ステップＡ２）。
【００３２】
管理サーバ３０の制御部３１は、受信した情報をＩＣタグ読取履歴データベース３２３に格納する（図４参照）。なお、親子の移動が遅い場合には、同じＩＣタグリーダ２０対応に短い時間で同じタグＩＤが多数格納されることになる。このため、制御部３１は同じＩＣタグリーダ２０対応に同じタグＩＤが上記所定間隔の５秒毎に複数格納されている場合は、最新のデータだけを残し、他を削除する（ステップＡ３）。
【００３３】
次に、制御部３１は、定期的（例えば、３０秒毎）にＩＣタグ読取履歴データベース３２３を参照し（ステップＡ４）、親子関係を有する親タグＩＤ，子タグＩＤが同じリーダＩＤ対応に所定時間差以内（例えば、１分以内）で記録されているかを検索する。なお、親子関係を有する親タグＩＤ，子タグＩＤについては、制御部３１がユーザ情報データベース３２１を参照して取得する（ステップＡ５）。
【００３４】
ステップＡ５において、
（１）同じリーダＩＤ対応に記録された親タグＩＤ，子タグＩＤの時間差が所定時間差の１分を超えていた場合、
または、
（２）一方の記録時刻から所定時間差の１分が経過しても他方が記録されていなかった場合は、制御部３１はアラーム通知履歴データベース３２４を参照し、該当する親タグＩＤまたは子タグＩＤに対応するアラーム通知情報が格納されているかを検索する。そして、格納されていた場合、制御部３１は最後のアラーム通知時刻から一定時間以上（例えば、１０分以上）経過しているかを現在時刻と照合して判断する（ステップＡ６）。
【００３５】
最後のアラーム通知時刻から一定時間以上経過していなかった場合は処理を終了し、一定時間以上経過していた場合は、制御部３１はＩＣタグ読取履歴データベース３２３を参照し、子タグＩＤが最後に記録されているリーダＩＤを取得する。そして、制御部３１はＩＣタグリーダデータベース３２２を参照し、該当ＩＣタグリーダ２０の設置場所とＬＡＮアドレスを取得する（図３参照）（ステップＡ７）。
【００３６】
次に、制御部３１は、子供の居場所（子タグＩＤが最後に読み取られたＩＣタグリーダ２０の設置場所）を通知するメールを生成し保護者携帯端末４０に送信する。このとき、保護者携帯端末４０のメールアドレスについては、制御部３１がユーザ情報データベース３２１から子タグＩＤ対応に登録されているメールアドレスを取得する（ステップＡ８）。親は保護者携帯端末４０が受信したメールを見ることにより、離れた子供の居場所を知る（ステップＡ９）。ステップＡ８に続き、制御部３１は、子タグＩＤが最後に読み取られたＩＣタグリーダ２０に対してアラーム通知を送信し（ステップＡ１０）、アラーム通知履歴をアラーム通知履歴データベース３２４に格納する（図５参照）（ステップＡ１１）。アラーム通知を受信したＩＣタグリーダ２０は、例えば、図示しない記録媒体に記録された所定のアナウンス内容（この周辺で迷子が発生した旨の内容）をスピーカ等を介して周辺に報知する（ステップＡ１２）。この後、このアナウンスを聞いた係員やＩＣタグリーダ２０の周辺に居た人が迷子らしい子供が近くにいないかを探索することにより、迷子の発見が早くなる。
【００３７】
次に、本発明の他の実施の形態について図面を参照して詳細に説明する。
【００３８】
本実施の形態の構成は一実施の形態の構成と同じである。次に、本実施の形態の動作について図１および図７を参照して説明する。図７は、本発明の他の実施の形態の動作を示すフローチャートである。
【００３９】
図７を参照すると、施設内の所定場所に設置された各ＩＣタグリーダ２０は、所定間隔（例えば、１分）毎に同一タイミングで一斉に、通信範囲内に存在する無線ＩＣタグ１０からタグＩＤを読み取る。なお、読み取り時刻については各ＩＣタグリーダ２０に同じ時刻を予め登録しておく（ステップＢ１）。そして、タグＩＤを読み取ったＩＣタグリーダ２０は、図示しないメモリから読み取ったリーダＩＤと図示しない時計部から取得した時刻情報を、タグＩＤとともに管理サーバ３０に送信する（ステップＢ２）。
【００４０】
管理サーバ３０の制御部３１は、受信した情報をＩＣタグ読取履歴データベース３２３に格納する（ステップＢ３）。次に、管理サーバ３０の制御部３１は、ＩＣタグ読取履歴データベース３２３の最新データを参照し、親子関係を有する親子の無線ＩＣタグ１０間の距離を各親子毎に算出する。詳細には、親子関係を有する親子のタグＩＤをユーザ情報データベース３２１から取得し、親タグＩＤ，子タグＩＤが読み取られたリーダＩＤをＩＣタグ読取履歴データベース３２３から取得する。そして、リーダＩＤの位置情報（緯度，経度）をＩＣタグリーダデータベース３２２から取得する。その後、制御部３１は、親タグＩＤが読み取られたＩＣタグリーダ２０の位置情報と子タグＩＤが読み取られたＩＣタグリーダ２０の位置情報とを基に、例えば緯度，経度の差分をとり各親子間の距離を算出する（ステップＢ４）。
【００４１】
次に、制御部３１は距離が所定距離以上（例えば、５０ｍ以上）離れている親子がいるかを判別し（ステップＢ５）、いなかった場合は処理を終了する。所定距離以上離れている親子がいた場合は、制御部３１はアラーム通知履歴データベース３２４を参照し、該当する親タグＩＤまたは子タグＩＤに対応するアラーム通知情報が格納されているかを検索する。そして、格納されていた場合、制御部３１は最後のアラーム通知時刻から一定時間以上（例えば、１０分以上）経過しているかを現在時刻と照合して判断する（ステップＢ６）。
【００４２】
最後のアラーム通知時刻から一定時間以上経過していなかった場合は処理を終了し、一定時間以上経過していた場合は、制御部３１はＩＣタグ読取履歴データベース３２３を参照し、子タグＩＤが最後に記録されているリーダＩＤを取得する。そして、制御部３１はＩＣタグリーダデータベース３２２を参照し、該当ＩＣタグリーダ２０の設置場所とＬＡＮアドレスを取得する（ステップＢ７）。
【００４３】
次に、制御部３１は、子供の居場所（子タグＩＤが最後に読み取られたＩＣタグリーダ２０の設置場所）を通知するメールを生成し保護者携帯端末４０に送信する（ステップＢ８）。親は保護者携帯端末４０が受信したメールを見ることにより、離れた子供の居場所を知る（ステップＢ９）。ステップＢ８に続き、制御部３１は、子タグＩＤが最後に読み取られたＩＣタグリーダ２０に対してアラーム通知を送信し（ステップＢ１０）、アラーム通知履歴をアラーム通知履歴データベース３２４に格納する（ステップＢ１１）。アラーム通知を受信したＩＣタグリーダ２０は、例えば、図示しない記録媒体に記録された所定のアナウンス内容（この周辺で迷子が発生した旨の内容）をスピーカ等を介して周辺に報知する（ステップＢ１２）。
【００４４】
以上説明したように、一実施の形態においては、同じＩＣタグリーダ２０がペアとなっている親子両方の無線ＩＣタグ１０を所定時間差以内で読み取れなかった場合に、迷子発生のアラームを通知するようにしている。所定時間差以内で同じ場所を通過していないということは、親子が離れてしまい迷子状態になっていることが想定される。また、他の実施の形態においては、各ＩＣタグリーダ２０が同じタイミングで一斉に無線ＩＣタグ１０を読み取り、ペアとなっている親子の無線ＩＣタグ１０を読み取ったＩＣタグリーダ２０間の距離を算出している。そして、算出された距離が所定距離以上であった場合に、迷子発生のアラームを通知するようにしている。このように、一実施の形態または他の実施の形態においては、親子間の相対的な状況を分析，通知することで、親子は無線ＩＣタグ１０を所持しているだけで迷子状態となったときにすぐに検出されるという効果が得られる。
【００４５】
また、上述した一実施の形態または他の実施の形態においては、迷子発生時に子供の居場所を通信範囲とするＩＣタグリーダ２０から迷子発生のアナウンスを行うようにしたため、早期発見につながるという効果が得られる。
【００４６】
また、上述した一実施の形態または他の実施の形態においては、迷子発生時に子供の居場所を保護者携帯端末４０に通知するようにしたため、保護者は子供の居場所にすぐに迎えに行くことができるという効果が得られる。
【００４７】
次に、本発明の応用例，変形例等について説明する。
【００４８】
・上述した一実施の形態または他の実施の形態において、迷子発生時のアラーム通知は子供の居場所を通信範囲とするＩＣタグリーダ２０に送信するとして説明したが、子供の居場所だけでなく居場所近辺のＩＣタグリーダ２０にもアラーム通知を送信するようにしてもよい。近辺の定義については、例えば、子供の居場所のＩＣタグリーダ２０から距離が最も近いＩＣタグリーダ２０と二番目に近いＩＣタグリーダ２０とし、各ＩＣタグリーダ２０毎に通知対象のＩＣタグリーダ２０を予め管理サーバ３０に登録しておくものとする。これにより、子供の居場所近辺の三つのＩＣタグリーダ２０から迷子発生のアナウンスが流されるため、子供が多少移動しても早期発見につなげられるという効果が得られる。
【００４９】
・上述した一実施の形態または他の実施の形態において、管理サーバ３０と保護者携帯端末４０間はインターネット２００を介して接続するとして説明したが、ネットワーク１００（無線ＬＡＮ）を介して接続するようにしてもよい。この場合は、無線ＬＡＮ機能を備えた保護者携帯端末４０を利用し、無線ＬＡＮ装置により保護者携帯端末４０のＩＰアドレスを設定し、アラーム通知や子供の居場所通知を無線ＬＡＮ経由で行う。これにより、電波状態に関係なく保護者携帯端末４０に迷子の発生を通知できるという効果が得られる。
【００５０】
・上述した一実施の形態または他の実施の形態において、迷子検出対象の子供は一人として説明したが、複数であっても本発明が適用できることは明らかである。子供が複数の場合は、ユーザ情報データベース３２１に一つの親タグＩＤ（例えば、１２３４５Ａ）と複数の子タグＩＤ（例えば、１２３４５Ｂと１２３４５Ｃ）を対応付けて登録し、各タグＩＤを親と複数の子供に所持させる。そして、図６のステップＡ５，Ａ７，Ａ１０や図７のステップＢ４，Ｂ５，Ｂ７，Ｂ１０の処理を親と各子供間について行うことになる。また、複数の親と一人の子供や、複数の親と複数の子供の場合についても、同様に本発明を適用できることは明らかである。
【００５１】
・上述した他の実施の形態において、管理サーバ３０による親子間の距離の算出は、親タグＩＤが読み取られたＩＣタグリーダ２０の位置情報と子タグＩＤが読み取られたＩＣタグリーダ２０の位置情報とから算出する、と図７のステップＢ４で説明した。この算出方法に代えて、各ＩＣタグリーダ２０相互間の相対距離を予め管理サーバ３０に登録しておき、その登録データから距離を取得するようにしてもよい。これにより、管理サーバ３０における算出処理が不要となるという効果が得られる。
【図面の簡単な説明】
【００５２】
【図１】本発明の一実施の形態の構成を示す図である。
【図２】ユーザ情報データベース３２１に格納されるデータの一例を示す図である。
【図３】ＩＣタグリーダデータベース３２２に格納されるデータの一例を示す図である。
【図４】ＩＣタグ読取履歴データベース３２３に格納されるデータの一例を示す図である。
【図５】アラーム通知履歴データベース３２４に格納されるデータの一例を示す図である。
【図６】本発明の一実施の形態の動作を示すフローチャートである。
【図７】本発明の他の実施の形態の動作を示すフローチャートである。
【符号の説明】
【００５３】
１０    無線ＩＣタグ
２０    ＩＣタグリーダ
３０    管理サーバ
３１    制御部
３２    記憶部
３２１    ユーザ情報データベース
３２２    ＩＣタグリーダデータベース
３２３    ＩＣタグ読取履歴データベース
３２４    アラーム通知履歴データベース
４０    保護者携帯端末
１００    ネットワーク
２００    インターネット
【図１】
2007033310.tif 000003
【図２】
2007033310.tif 000004
【図３】
2007033310.tif 000005
【図４】
2007033310.tif 000006
【図５】
2007033310.tif 000007
【図６】
2007033310.tif 000008
【図７】
2007033310.tif 000009